(57)【要約】本発明は、移動無線ネットワークにおいて音声データを伝送するための方法、システム、プログラム、及びコンピュータプログラム製品に関する。前記移動無線ネットワークは、第１のロケーションにある第１の移動デバイスと、第２のロケーションにある第２の移動デバイスとを有する。前記第１の移動デバイスは前記第２の移動デバイスに向けてパイロット信号を送信する。前記第２の移動デバイスは前記パイロット信号の信号強度を測定し、前記パイロット信号の信号強度に関する情報を前記第１の移動デバイスに向けて送信する。前記第１の移動デバイスは、前記信号強度に関する情報に応じて前記第１のロケーションに対する前記第２のロケーションを決定し、前記第２のロケーションに応じて前記第２の移動デバイスに向けて音声信号を送信する。【選択図】図１
2013532919.tif 000002
【特許請求の範囲】
【請求項１】
第１のロケーションにある第１の移動デバイス（１００）と、第２のロケーションにある第２の移動デバイス（１０１）とを有する移動無線ネットワークにおいて音声データを伝送する方法であって、
第１のステップと、第２のステップと、第３のステップと、第４のステップと、第５のステップとを含み、
前記第１のステップにおいて、前記第１の移動デバイス（１００）は前記第２の移動デバイス（１０１）に向けてパイロット信号を送信し、
前記第２のステップにおいて、前記第２の移動デバイス（１０１）は前記パイロット信号の信号強度を測定し、
前記第３のステップにおいて、前記第２の移動デバイス（１０１）は前記パイロット信号の信号強度に関する情報を前記第１の移動デバイス（１００）に向けて送信し、
前記第４のステップにおいて、前記第１の移動デバイス（１００）は、前記信号強度に関する情報に応じて前記第１のロケーションに対する前記第２のロケーションを決定し、
前記第５のステップにおいて、前記第１の移動デバイス（１００）は、前記第２のロケーションに応じて前記第２の移動デバイス（１０１）に向けて音声信号を送信する、方法。
【請求項２】
前記パイロット信号、前記信号強度に関する情報、及び／又は前記音声信号は、Ｂｌｕｅｔｏｏｔｈ接続、ＮＦＣ接続、ＲＦＩＤ接続、ＷＩＭＡＸ接続、又はＷＬＡＮ接続により送信されるものである、請求項１に記載の方法。
【請求項３】
前記第１の移動デバイス（１００）は、ローカルメモリデバイス、好ましくはメモリスティック及び／又はあるネットワークエンティティ（１０５）から、好ましくはＢｌｕｅｔｏｏｔｈ接続、ＮＦＣ接続、ＲＦＩＤ接続、ＷＩＭＡＸ接続、又はＷＬＡＮ接続によりサウンドデータを受信し、
前記音声信号は前記サウンドデータに応じて生成されるものである、請求項１又は２に記載の方法。
【請求項４】
前記サウンドデータは、モノラルサウンド情報、ステレオサウンド情報、及び／又はサラウンドサウンド情報を含むものである、請求項１〜３のいずれか１項に記載の方法。
【請求項５】
前記第１の移動デバイス（１００）は、前記第２の移動デバイス（１０１）のサウンド機能を調べて決定するものであり、該サウンド機能は、データ処理機能、バッテリ機能、及び／又はスピーカボリュームレベルを含むことが好ましく、
前記第１の移動デバイス（１００）は前記サウンド機能に応じて前記音声信号を前記第２の移動デバイス（１０１）に提供するものである、請求項１〜４のいずれか１項に記載の方法。
【請求項６】
前記第１の移動デバイス（１００）は、複数ある第２の移動デバイス（１０１）のロケーション及びサウンド機能を調べて決定するものであり、
前記第１の移動デバイス（１００）は、前記複数ある第２の移動デバイス（１０１）のロケーション及びサウンド機能に応じてサラウンドサウンドを生成するものであり、
前記複数ある第２の移動デバイス（１０１）のそれぞれが前記サラウンドサウンドの一部に寄与するものである、請求項１〜５のいずれか１項に記載の方法。
【請求項７】
前記第１の移動デバイス（１００）の近傍に入るか又は該近傍を離れる移動デバイスが、前記複数ある第２の移動デバイス（１０１）に加えられるか、又は該複数ある第２の移動デバイス（１０１）から除外される、請求項１〜６のいずれか１項に記載の方法。
【請求項８】
前記第１の移動デバイスに対する前記第２の移動デバイスの方向を決定するために、内部コンパス又はジャイロセンサ若しくは加速度センサが用いられる、請求項１〜７のいずれか１項に記載の方法。
【請求項９】
第１のロケーションにある第１の移動デバイス（１００）と、第２のロケーションにある第２の移動デバイス（１０１）とを有する移動無線ネットワークにおいて音声データを伝送するためのシステムであって、
前記第１の移動デバイス（１００）は、前記第２の移動デバイス（１０１）にパイロット信号を送信し、
前記第２の移動デバイス（１０１）は前記パイロット信号の信号強度を測定し、
前記第２の移動デバイス（１０１）は、前記パイロット信号の信号強度に関する情報を前記第１の移動デバイス（１００）に向けて送信し、
前記第１の移動デバイス（１００）は、前記信号強度に関する情報に応じて前記第１のロケーションに対する前記第２のロケーションを決定し、
前記第１の移動デバイス（１００）は、前記第２のロケーションに応じて音声信号を前記第２の移動デバイス（１０１）へ送信する、システム。
【請求項１０】
第１のロケーションにある第１の移動デバイス（１００）と、第２のロケーションにある第２の移動デバイス（１０１）とを有する移動無線ネットワークにおいて音声データを伝送する第１の移動デバイス（１００）であって、
前記第２の移動デバイス（１０１）に向けてパイロット信号を送信し、
前記パイロット信号の信号強度に関する情報を前記第２の移動デバイス（１０１）から受信し、
前記信号強度に関する情報に応じて前記第１のロケーションに対する前記第２のロケーションを決定し、
前記第２のロケーションに応じて音声信号を前記第２の移動デバイス（１０１）へ送信する第１の移動デバイス。
【請求項１１】
請求項１〜８のいずれか１項に記載の、移動無線ネットワークにおいて音声データを伝送する方法をコンピュータに実行させるコンピュータ可読プログラムコードを含むプログラム。
【請求項１２】
請求項１〜８のいずれか１項に記載の、移動無線ネットワークにおいて音声データを伝送する方法をコンピュータに実行させるコンピュータ可読プログラムコードを含むコンピュータプログラムであって、記憶媒体に記憶された該コンピュータプログラムを含むコンピュータプログラム製品。
【発明の詳細な説明】
【技術分野】
【０００１】
本発明は、移動通信のための方法、クライアント、システム、プログラム、及びコンピュータプログラム製品に関する。
【０００２】
具体的には、本発明は音声情報の伝送に関する。
【背景技術】
【０００３】
移動デバイス産業は、独自の特徴を持つ高性能製品の市場において絶えず困難に直面している。例えば、音楽を再生できる移動デバイスの需要が劇的に高まっている。今日、携帯型音楽デバイスは極めて一般的であり、ＭＰ３プレーヤ、携帯電話、衛星無線システムといった、音楽再生をサポートするいくつかのタイプのデバイスが存在する。これらのデバイスは、そのデバイスに保存されているか又はダウンロードされた音楽を再生することができる。ユーザは、様々な楽曲又は音楽クリップをダウンロードし、デバイスにより再生される音楽を聴くことができる。このようなデバイスは例えば、ステレオのサウンドレンダリングを自己完結的にサポートできる。その結果、ユーザは、ヘッドセット又はイヤホンを用いて、音楽鑑賞に没頭することができる。その一方で、このようなデバイスは通常、ヘッドセットを用いないモード又はイヤホンを用いないモードでは、真のステレオ環境を生み出すことができない。デバイスの大きさが小さく、利用可能なスピーカの数が少ないため、デバイスは通常、モノラルサウンドに制限される。また、２人以上のユーザが一緒に音楽を聴こうとする場合がある。その結果として、ヘッドセットもイヤホンも用いずに音楽鑑賞を２人以上のユーザが共有しようとすると、音楽のステレオレンダリングが得られない。したがって、複数のユーザが音楽鑑賞を共有するためのステレオサウンドの提供が求められている。
【０００４】
そのような方法は、例えば特許文献１に記載されている。この文献は、音声再生が可能な移動電話といった音声再生デバイス上で音声データを再生する方法を開示している。この方法には、音声再生デバイスにおいてマルチチャンネルの音声データを受信するステップと、上記マルチチャンネルの音声データから再生用の第１のチャンネルの音声データを得るステップと、上記音声再生デバイスの少なくとも１つのラウドスピーカを用いて上記第１のチャンネルの音声データを再生するステップとが含まれる。
【先行技術文献】
【特許文献】
【０００５】
【特許文献１】米国特許出願公開第２００７／００８７６８６号
【発明の概要】
【発明が解決しようとする課題】
【０００６】
従来技術による方法の欠点は、サウンド再生中にデバイスが移動してはならないという点にあり、その理由として、さもなければサウンド再生が大きく乱れるからである。したがって、移動デバイスが移動している場合であっても音声データを再生できるようにする方法が早急に求められている。
【０００７】
これは以下に説明する本発明によって解決される従来技術の１つの欠点に過ぎない。
【０００８】
本発明の目的は、移動無線ネットワークにおいて音声データを伝送するための方法を提供することにある。該移動無線ネットワークは、第１のロケーションにある第１の移動デバイスと、第２のロケーションにある第２の移動デバイスとを有する。そして、前記第１の移動デバイスは前記第２の移動デバイスに向けてパイロット信号を送信する。前記第２の移動デバイスは前記パイロット信号の信号強度を測定する。前記第２の移動デバイスは前記パイロット信号の信号強度に関する情報を前記第１の移動デバイスに向けて送信する。前記第１の移動デバイスは、前記信号強度に関する情報に応じて前記第１のロケーションに対する前記第２のロケーションを決定する。前記第１の移動デバイスは、前記第２のロケーションに応じて音声信号を前記第２の移動デバイスに向けて送信する。
【課題を解決するための手段】
【０００９】
本発明によれば、移動デバイスの移動中であっても、該移動デバイスの移動により、再生される音声データに否定的影響を一切受けることなく、音声データを再生することができ好都合である。移動デバイスが移動中であっても、第１の移動デバイスは、比較的正確に第２の移動デバイスの第２のロケーションを決定し、この第２のロケーションに応じて、第２の移動デバイスへと送信される音声信号を最適なものとすることができる。さらに、固定的なサーバ及び／又はインフラストラクチャネットワークは必要ない。
【００１０】
以下に、本発明の更なる例示的な実施の形態を説明する。
【００１１】
しかし、当業者は、これらの例示的な実施形態は単に説明の目的で用いられているのであり、特許請求の範囲によって定められる保護の範囲を限定するものではないことを理解されたい。
【００１２】
本発明によれば、前記パイロット信号、前記信号強度に関する情報、及び／又は前記音声信号は、Ｂｌｕｅｔｏｏｔｈ（登録商標）接続、ＮＦＣ接続、ＲＦＩＤ接続、ＷＩＭＡＸ接続、又はＷＬＡＮ接続を用いて送信されることが好ましい。本発明に照らせば、Ｂｌｕｅｔｏｏｔｈ（登録商標）接続は２．４ＧＨｚのＩＳＭ帯域を利用する無線接続である。
【００１３】
したがって、本発明によれば、本発明の実施にあたり既存の接続手段を用いることができ好都合である。
【００１４】
本発明によれば、前記第１の移動デバイスは、ローカルメモリデバイス、好ましくはメモリスティック及び／又はネットワークエンティティから、好ましくはＢｌｕｅｔｏｏｔｈ（登録商標）接続、ＮＦＣ接続、ＲＦＩＤ接続、ＷＩＭＡＸ接続、又はＷＬＡＮ接続によりサウンドデータを受信し、前記音声信号が前記サウンドデータに応じて生成されることが好ましい。
【００１５】
したがって、本発明によれば、サウンドデータを第１の移動デバイスに容易に提供することができ好都合である。
【００１６】
本発明によれば、前記サウンドデータは、モノラルサウンド情報、ステレオサウンド情報、及び／又はサラウンドサウンド情報を含むものであることが好ましい。
【００１７】
したがって、本発明によれば、様々な種類のサウンドデータを第１の移動デバイスに提供することができ好都合である。
【００１８】
本発明によれば、前記第１の移動デバイスは前記第２の移動デバイスのサウンド機能を調べて決定できることが好ましい。該サウンド機能は、データ処理機能、バッテリ機能、及び／又はスピーカボリュームレベルを含むものであることが好ましい。前記第１の移動デバイスは前記サウンド機能に応じて前記音声信号を前記第２の移動デバイスに提供する。
【００１９】
したがって、本発明によれば、第２の移動デバイスによって機能が異なる場合であっても、音声信号を最適化することができ好都合である。
【００２０】
本発明によれば、前記第１の移動デバイスは、複数ある第２の移動デバイスのロケーション及びサウンド機能を調べて決定できることが好ましい。前記第１の移動デバイスは、前記複数ある第２の移動デバイスのロケーション及びサウンド機能に応じてサラウンドサウンドを生成し、前記複数ある第２の移動デバイスのそれぞれが前記サラウンドサウンドの一部に寄与する。
【００２１】
したがって、本発明によれば、第２の移動デバイス及び／又は第１の移動デバイスが移動している場合であっても、サラウンドサウンドを提供することができ好都合である。
【００２２】
本発明によれば、前記第１の移動デバイスの近傍に入るか又はその近傍を離れる移動デバイスが、前記複数ある第２の移動デバイスに加えられるか、又はその複数ある第２の移動デバイスから除外されることが好ましい。
【００２３】
したがって、本発明によれば、複数のデバイスが第１の移動デバイスの近傍において入れ替わっている（exchanging）場合であっても、例えばサラウンドサウンドを提供することができ好都合である。
【００２４】
本発明によれば、前記第１の移動デバイスに関する前記第２の移動デバイスの方向を決定するために、内部コンパス又はジャイロセンサ若しくは加速度センサが用いられることが好ましい。
【００２５】
本発明は更に、移動無線ネットワークにおいて音声データを伝送するためのシステムにも関係するものである。該移動無線ネットワークは、第１のロケーションにある第１の移動デバイスと、第２のロケーションにある第２の移動デバイスとを有する。上記システムにおいて、前記第１の移動デバイスは前記第２の移動デバイスにパイロット信号を送信する。前記第２の移動デバイスは前記パイロット信号の信号強度を測定し、前記第２の移動デバイスは前記パイロット信号の信号強度に関する情報を前記第１の移動デバイスに送信する。前記第１の移動デバイスは、前記信号強度に関する情報に応じて前記第１のロケーションに対する前記第２のロケーションを決定し、前記第１の移動デバイスは、前記第２のロケーションに応じて音声信号を前記第２の移動デバイスに送信する。
【００２６】
本発明は更に、移動無線ネットワークにおいて音声データを伝送するための第１の移動デバイスにも関係するものである。該移動無線ネットワークは、第１のロケーションにある該第１の移動デバイスと、第２のロケーションにある第２の移動デバイスとを有する。該第１の移動デバイスは前記第２の移動デバイスにパイロット信号を送信する。該第１の移動デバイスは前記パイロット信号の信号強度に関する情報を前記第２の移動デバイスから受信する。該第１の移動デバイスは、前記信号強度に関する情報に応じて前記第１のロケーションに対する前記第２のロケーションを決定する。該第１の移動デバイスは、前記第２のロケーションに応じて音声信号を前記第２の移動デバイスに送信する。
【００２７】
本発明は更に、コンピュータ可読プログラムコードを含むプログラムにも関係するものである。このコンピュータ可読プログラムコードは、コンピュータ上で実行されると、本発明に係る方法を該コンピュータに実行させる。本発明は更に、記憶媒体に記憶されたコンピュータプログラムを含むコンピュータプログラム製品にも関係する。前記コンピュータプログラムは、コンピュータ上で実行されると、本発明に係る移動無線ネットワークにおいて音声データを伝送する方法を該コンピュータに実行させるコンピュータ可読プログラムコードを含む。
【００２８】
したがって、本発明によれば、サウンド再生が大きく乱れないため、移動デバイスの移動中であっても音声データを再生することができ好都合である。
【図面の簡単な説明】
【００２９】
【図１】本発明の例示的な実施形態の概略図である。
【図２】本発明の例示的な実施形態の概略図である。
【図３】本発明の例示的な実施形態の概略図である。
【図４】本発明の例示的な実施形態の概略図である。
【発明を実施するための形態】
【００３０】
本発明について、特定の実施形態に関連して上記図面を参照して説明する。しかし、本発明はこれらに限定されず、特許請求の範囲によってのみ限定される。説明のための図面は単なる概略であり、限定的なものではない。図面において、いくつかの要素の大きさが、説明のために強調されており、縮尺通りに描かれていない場合がある。
【００３１】
単数名詞（a singular noun）を参照する際に、「ａ」、「ａｎ」、「ｔｈｅ」といった不定冠詞あるいは定冠詞を使用する場合は、特に明記がない限りはその名詞の複数形が含まれる。
【００３２】
さらに、本明細書及び特許請求の範囲において、第１、第２、第３といった用語は、類似した要素を区別するために用いており、必ずしも順番又は時系列を説明するために用いているわけではない。このように用いられる用語は、適切な状況の下で交換可能であること、及び本明細書において説明する本発明の実施形態は、本明細書の説明とは別の順序で動作可能であることを理解されたい。
【００３３】
本発明によれば、幾つかの移動デバイス（ＵＥ）を用いて、それらのＵＥが移動している場合であってもサラウンドサウンドを得ることが可能となる。また、１つ以上のデバイスは、それらのデバイスが部屋間を移動している場合であっても、それらのデバイスの位置に応じたサラウンドサウンドを受信することができる。サラウンドサウンドを良い印象のものとするために、空間ダイバーシティの計算にあたり音源デバイスは各ラウドスピーカの正確な位置を把握する必要がある。さもなければ、空間的歪みが生じる可能性があり、これはユーザのサウンドに対する印象に悪影響を及ぼすことになる。ＧＰＳ（global positioning system, 全地球測位システム）を使えば数メートルの精度で、又は更にはＤＧＰＳ（digital global positioning system, デジタル全地球測位システム）を利用することにより数センチメートルの精度で位置を決定することができる。これは当然ながら、屋内では衛星からの受信信号が弱いため、屋外でのみで機能する。このようなデバイスの正確なロケーションの特定は、屋内であれば別の方法で行う必要がある。
【００３４】
今日では、移動デバイス（例えば移動電話機）に組み込まれているラウドスピーカは、比較的大きなオーディトリアム用に十分大きな音量で音楽又は音声のデータを再生することができる。中心にあるデバイス（サーバ）の周りにいる人々は、その周りにあるクライアントデバイスから送られたサラウンドサウンドを楽しむことができる。また、移動中は、（当初は中心にあると考えられている）サーバデバイスの位置に応じて、クライアントにおいて空間ダイバージョン（spatial diversion）及び信号レベルが選ばれることになる。ユーザは、特別な残響プロファイル（reverb profile）を有効にし、選ぶことができる。図１は、本発明の一実施形態を概略的に示している。中心デバイス（サーバ）１００が、ソース１０５を介して、準備されたサラウンドデータ（例えば４チャンネル）を受信する。ソース１０５は、例えばローカルメモリ（例えばメモリスティック等）又はネットワーク（例えば移動ネットワーク、Ｂｌｕｅｔｏｏｔｈ（登録商標）、ＷＬＡＮ、ＵＳＢ等）である。中心デバイス（サーバ）１００は、サウンドデータを、動かないクライアント１０１、１０２、１０３、１０４へと配信する。それにより、準備されたサラウンドデータが、サーバからの要求に応じてクライアントにより再生されることになる。別の実施形態では、デバイスは動かないデバイスではなく移動デバイスである。この場合、中心デバイス１００はクライアント１０１、１０２、１０３、１０４ごとに空間ダイバーシティ及び信号レベルを計算する。準備されたサラウンドデータは、サーバ１００からクライアントへ配信されることになる。それにより、準備されたサラウンドデータは、サーバからの要求に応じてクライアントにより再生されることになる。この実施形態によれば、クライアントが移動しながらサラウンドサウンドを提供できるため好都合である。
【００３５】
別の実施形態によれば、中心デバイス（サーバ）１００は、ソース１０５を介してサウンドデータ（モノラル又はステレオ）を受信する。ソース１０５は、例えばローカルメモリ（例えばメモリスティック等）又はネットワーク（例えば、移動ネットワーク、Ｂｌｕｅｔｏｏｔｈ（登録商標）、ＷＬＡＮ、ＵＳＢ等）である。中心デバイス（サーバ）１００は、クライアント１０１、１０２、１０３、１０４ごとに空間ダイバーシティ及び信号レベルを計算する。準備されたサラウンドデータはサーバ１００からクライアントへ配信されることになる。それにより、準備されたサラウンドデータは、サーバからの要求に応じてクライアントにより再生されることになる。この実施形態によれば、クライアントが移動しながらサラウンドサウンドを提供できるため好都合である。
【００３６】
別の実施形態によれば、中心デバイス（サーバ）１００は、ソース１０５を介してサウンドデータ（モノラル又はステレオ）を受信する。ソース１０５は、例えばローカルメモリ（例えばメモリスティック等）又はネットワーク（例えば、移動ネットワーク、Ｂｌｕｅｔｏｏｔｈ（登録商標）、ＷＬＡＮ、ＵＳＢ等）である。中心デバイス（サーバ）１００はクライアントにサウンドデータを配信する。クライアントは、クライアントごとに空間ダイバーシティ及び信号レベルを計算する。それにより、計算されたサラウンドデータは、サーバからの要求に応じてクライアントにより再生されることになる。この実施形態によれば、クライアントが移動しながらサラウンドサウンドを提供できるため好都合である。
【００３７】
別の実施形態では、例えばサーバがある部屋から別の部屋に移動する際のハンドオーバが提供される。図２は、本発明の別の実施形態を概略的に示している。第１の部屋２０１において、中心デバイス（サーバ）９００が、準備されたサラウンドデータ又はサウンドデータ（モノラル又はステレオ）を、ソース９０５を介して受信する。ソース９０５は、例えばローカルメモリ（例えばメモリスティック等）又はネットワーク（例えば、移動ネットワーク、Ｂｌｕｅｔｏｏｔｈ（登録商標）、ＷＬＡＮ、ＵＳＢ等）である。中心デバイス（サーバ）９００は、クライアント９０１、９０２、９０３、９０４ごとに空間ダイバーシティ及び信号レベルを計算する。準備されたサラウンドデータはサーバ９００からクライアントへと配信されることになる。そして、準備されたサラウンドデータは、サーバからの要求に応じてクライアントにより再生されることになる。この実施形態によれば、サーバ９００は方向９２０に沿って第１の部屋２０１から第２の部屋２０２へと移動する。この移動中、サーバ９００は位置９００から始まって、位置９１０、９１１、９１２、９１３に到達する。位置９１３は移動による最終的な位置である。第２の部屋２０２においては、中心デバイス（サーバ）は、準備されたサラウンドデータ又はサウンドデータ（モノラル又はステレオ）を、ソース９１４を介して受信する。ソース９１４は、例えばローカルメモリ（例えばメモリスティック等）、あるいは別の実施形態によれば符号９０５と同じソースであってもよく、又はネットワーク（例えば、移動ネットワーク、Ｂｌｕｅｔｏｏｔｈ（登録商標）、ＷＬＡＮ、ＵＳＢ等）である。中心デバイス（サーバ）は、クライアント９０６、９０７、９０８、９０９ごとに空間ダイバーシティ及び信号レベルを計算する。準備されたサラウンドデータはサーバからクライアントへ配信されることになる。そして、準備されたサラウンドデータは、サーバからの要求に応じてクライアントにより再生されることになる。本発明によれば、ある部屋から別の部屋への移動中の中断を知覚不可能なものにすることができ好都合である。このことは、例えばクライアント９０６がクライアント９０２から徐々に多くの（例えば、位置９００においては０％、位置９１０においては２５％、位置９１１においては５０％、位置９１２においては７５％、位置９１３においては１００％の）サウンドデータを引き継ぐことを意味する。開始位置９００と終了位置９１３との間の位置は制限されず、結果として０％から１００％までの関係する信号レベルの任意の値が得られることになる。
【００３８】
以下の表１は、クライアントにおいてチャンネルごとに到達する信号レベルを示している。より良好なハンドオーバ処理のために、クライアントの方向を把握していることが有用な場合がある。クライアントの方向は、クライアント内の内部コンパス又はジャイロセンサ若しくは加速度センサによって決定できることが好ましい。
【００３９】
【表１】
2013532919.tif 000003
【００４０】
クライアントからラウドスピーカへのサウンドデータの送信は、有線とすることもできるし無線とすることもできる。好ましい実施形態では、ラウドスピーカはクライアント内に組み込まれている。デバイス（サーバ及びクライアント）間の信号は、規定長の暗号鍵を用いて暗号化されることが好ましい。各デバイス（サーバ及びクライアント）は、正確な特定のための特別な識別情報（ＩＤ）を有することが好ましい。ハンドオーバ処理などの性能をより良いものとするために、クライアントからサーバへの方向を、サーバ内の内部コンパス又はジャイロセンサ若しくは加速度センサによって決定できることが好ましい。
【００４１】
別の実施形態によれば、４つのコーナーにあるデバイス（サーバ）５０１、５０２、５０３、５０４の位置が既に判明しているか又は決定されており、１つ以上の中心デバイス（クライアント）５００がそれらの間を移動している。また、移動中、（当初は中心にあると考えられている）１つ以上のクライアントデバイス５００の位置に応じて、１つ以上のクライアント５００において空間ダイバージョン（spatial diversion）及び信号レベルも選ばれることになる。この実施形態では、クライアントデバイス５００は、特別なサラウンドヘッドフォンを備えていることが好ましく、それによりユーザはクライアントデバイス５００を用いてサラウンドサウンドを楽しむことができる。ユーザが、特別な残響プロファイル（reverb profile）を有効にして選ぶことができることが好ましい。
【００４２】
別の実施形態によれば、コーナーデバイス（サーバ）５０１、５０２、５０３、５０４は、準備されたサラウンドデータ（例えば４チャンネル）を、ソース５０５を介して受信する。ソース５０５は、例えばローカルメモリ（例えばメモリスティック等）又はネットワーク（例えば移動ネットワーク、Ｂｌｕｅｔｏｏｔｈ（登録商標）、ＷＬＡＮ、ＵＳＢ等）である。コーナーデバイス（サーバ）５０１、５０２、５０３、５０４は、サウンドデータをクライアント５００へ配信する。
【００４３】
別の実施形態によれば、コーナーデバイス（サーバ）５０１、５０２、５０３、５０４は、ソース５０５を介してサウンドデータ（モノラル又はステレオ）を受信する。ソース５０５は、例えばローカルメモリ（例えばメモリスティック等）又はネットワーク（例えば、移動ネットワーク、Ｂｌｕｅｔｏｏｔｈ（登録商標）、ＷＬＡＮ、ＵＳＢ等）である。コーナーデバイス（サーバ）は、クライアント５００の空間ダイバーシティ及び信号レベルを計算する。準備されたサラウンドデータは、サーバからクライアントへ配信されることになる。そして、計算されたサラウンドデータは、サーバからの要求に応じてクライアント５００により再生されることになる。この実施形態によれば、クライアント５００が移動しながらサラウンドサウンドを提供できるため好都合である。
【００４４】
別の実施形態によれば、コーナーデバイス（サーバ）５０１、５０２、５０３、５０４は、ソース５０５を介してサウンドデータ（モノラル又はステレオ）を受信する。ソース５０５は、例えばローカルメモリ（例えばメモリスティック等）又はネットワーク（例えば、移動ネットワーク、Ｂｌｕｅｔｏｏｔｈ（登録商標）、ＷＬＡＮ、ＵＳＢ等）である。コーナーデバイス（サーバ）５０１、５０２、５０３、５０４は、サウンドデータをクライアント５００へ配信する。クライアント５００はそのクライアント自体の空間ダイバーシティ及び信号レベルを計算する。そして、計算されたサラウンドデータは、クライアント自体の要求に応じてクライアント５００により再生されることになる。この実施形態によれば、クライアント５００が移動しながらサラウンドサウンドを提供できるため好都合である。
【００４５】
別の実施形態によれば、例えばクライアントがある部屋から別の部屋へと移動する際のハンドオーバが提供される。図４は、本発明の別の実施形態を概略的に示している。第１の部屋４０１において、コーナーデバイス（サーバ）９５１、９５２、９５３、９５４は、準備されたサラウンドデータ（例えば４チャンネル）又はサウンドデータ（モノラル又はステレオ）を、ソース９５５を介して受信する。ソース９５５は、例えばローカルメモリ（例えばメモリスティック等）又はネットワーク（例えば、移動ネットワーク、Ｂｌｕｅｔｏｏｔｈ（登録商標）、ＷＬＡＮ、ＵＳＢ等）である。コーナーデバイス（サーバ）９５１、９５２、９５３、９５４はサウンドデータをクライアント９５０に向けて配信する。第２の部屋４０２においては、コーナーデバイス（サーバ）９５６、９５７、９５８、９５９は、準備されたサラウンドデータ（例えば４チャンネル）又はサウンドデータ（モノラル又はステレオ）を、ソース９６５を介して受信する。ソース９６５は、例えばローカルメモリ（例えばメモリスティック等）、あるいは別の実施形態によれば符号９５５と同じソースであってもよく、又はネットワーク（例えば、移動ネットワーク、Ｂｌｕｅｔｏｏｔｈ（登録商標）、ＷＬＡＮ、ＵＳＢ等）である。コーナーデバイス（サーバ）９５６、９５７、９５８、９５９は、第２の部屋４０２内にあるクライアントに向けてサウンドデータを配信する。コーナーデバイス（サーバ）は、クライアントの空間ダイバーシティ及び信号レベルを計算する。準備されたサラウンドデータは、サーバからクライアントへと配信されることになる。そして、計算されたサラウンドデータは、サーバからの要求に応じてクライアントにより再生されることになる。この実施形態では、クライアント９５０は、方向９７０に沿って第１の部屋４０１から第２の部屋４０２へと移動する。この移動中、クライアント９５０は位置９５０から始まり、位置９６０、９６１、９６２、９６３に到達する。位置９６３は移動による最終的な位置である。本発明によれば、ある部屋から別の部屋への移動中の中断を知覚不可能なものとすることができ好都合である。このことは、例えばサーバ９５６がサーバ９５２から徐々に多くの（例えば、位置９５０において０％、位置９６０において２５％、位置９６１において５０％、位置９６２において７５％、位置９６３において１００％の）サウンドデータを引き継ぐことを意味する。開始位置９５０と終了位置９６３との間の位置は制限されず、結果として０％から１００％までの関係する信号レベルの値が得られることになる。
【００４６】
以下の表２は、サーバのチャンネルごとに到達する信号レベルを示している。より良好なハンドオーバ処理を行うために、クライアントの方向を把握していることが有用な場合があり、クライアントの方向は、クライアント内の内部コンパス又はジャイロセンサ若しくは加速度センサによって決定できることが好ましい。
【００４７】
【表２】
2013532919.tif 000004
【００４８】
本発明によれば、ある中心デバイスの周りにある移動デバイス群に対して、それらデバイスが移動している場合であってもサラウンドサウンドを提供することができ、好都合である。デバイスが移動している場合には、デバイスの位置が更新されて、１つ以上のサーバが把握している必要がある。サラウンドデータは、ストリーミングすることができるか、又は、デバイスの処理能力に基づいて、サーバ又は幾つかのクライアントにより計算することができる。サラウンドデータは、デバイスが移動していて、それらのデバイスの位置に応じてサラウンドデータを選ぶ場合であっても、１つ以上の中心デバイス（クライアント）に対してストリーミングすることができる。デバイスの内部コンパス又はジャイロセンサ若しくは加速度センサを用いれば、デバイスのロケーションに応じて１つ以上の部屋間のハンドオーバも意図することができる。
【図１】
2013532919.tif 000005
【図２】
2013532919.tif 000006
【図３】
2013532919.tif 000007
【図４】
2013532919.tif 000008
【国際調査報告】
2013532919.tif 000009
2013532919.tif 000010